(57)【要約】      （修正有）【課題】設置された工具が泥棒や賊に盗み取られるのを避けることができ、工具を取り出した後、再度工具を設置することができ、工具の吊掛保管の利便性を高めることができる、カード型工具吊り下げ具を提供する。【解決手段】主体１０と、主体の前側に設けられる封止部材２０とを備え、主体は、立て板１１と、２つの側板１２とを有し、各側板にそれぞれ係止部が形成され、封止部材は、中板２１と、２つの掛止接続板と、２つのガード板２３とを有し、中板と立て板とは対向配置され、工具を立て板と中板との間に設置し、各掛止接続板は、それぞれ各側板に弾性的に掛止接続され、各ガード板はそれぞれ各掛止接続板を遮蔽し押圧するように、掛止接続板の外側に対向配置される。工具の取り出しと再設置は、ガード板の頂縁及び底縁にある裁断部２６を裁断し、封止部材の着脱により可能である。【選択図】図１
0003226282.tif 000002
【実用新案登録請求の範囲】
【請求項１】
主体と、前記主体の前側に設けられる着脱可能な封止部材とを備えるカード型工具吊り下げ具であって、
前記主体は、立て板と、２つの側板とを有し、各前記側板は、それぞれ前記立て板の両側に設けられ、かつ各前記側板はそれぞれ前向きに延伸し、各前記側板からは、それぞれ前記立て板の前側に向かって係止部が形成され、前記主体に複数個の規制板が設けられ、各前記規制板は、それぞれ各前記側板の頂縁及び底縁と互いに接合され、
前記封止部材は、中板と、２つの掛止接続板と、２つのガード板とを有し、前記中板と前記立て板とは起立対向に形成されることで、工具を前記立て板と前記中板との間に設けると共に、前記封止部材により前記工具を相対的に制限し、各前記掛止接続板同士は側方向に対向配置され、各前記掛止接続板の前側は前記中板と互いに接合され、各前記掛止接続板にはそれぞれ掛止部が形成され、各前記掛止接続板の頂縁及び底縁は、それぞれ各前記規制板と対向配置され、各前記掛止接続板は、それぞれ各前記掛止部を介して各前記側板の前記係止部に弾性的に掛止接続され、各前記ガード板はそれぞれ各前記側板の前側に位置し、かつ各前記ガード板はそれぞれ各前記掛止接続板の外側に対向配置され、前記中板からは、各前記ガード板の頂縁及び底縁に向かってそれぞれ基部が延伸し、前記ガード板の頂縁及び底縁は、それぞれ裁断部を介して各前記基部と互いに接合されることを特徴とする、
カード型工具吊り下げ具。
【請求項２】
前記主体は、各前記側板の間に２つの強化板が設けられ、各前記強化板同士は側方向に対向配置され、かつ各前記強化板は、それぞれ各前記側板及び各前記掛止接続板と近接し、各前記強化板の頂縁及び底縁は、それぞれ各前記規制板と互いに接合されることにより、各前記規制板を強化することを特徴とする、請求項１に記載のカード型工具吊り下げ具。
【請求項３】
前記掛止接続板の頂縁及び底縁は、それぞれ各前記基部と互いに接合されることにより、前記掛止接続板と前記中板との結合強度を高め、前記掛止接続板の頂縁近傍及び底縁近傍にそれぞれ凹口が形成され、各前記凹口は前記掛止接続板の後側に延伸し、かつ前記掛止部は各前記凹口の間に形成されることで、前記掛止接続板を側方向に弾性作動させることを特徴とする、請求項１に記載のカード型工具吊り下げ具。
【請求項４】
前記裁断部の厚さが、前記ガード板の厚さよりも薄いことで、前記裁断部を剪断具を利用して破壊しやすくすることを特徴とする、請求項１に記載のカード型工具吊り下げ具。
【請求項５】
前記掛止部の後側に斜向の誘導案内面が形成されることにより、前記掛止接続板の弾性変形を誘導案内することを特徴とする、請求項１に記載のカード型工具吊り下げ具。
【請求項６】
前記係止部は、前記側板の頂縁及び前記側板の底縁に延伸すると共に、各前記規制板と互いに接合されることを特徴とする、請求項１に記載のカード型工具吊り下げ具。
【請求項７】
前記立て板と前記中板との間に設けられる位置決め部をさらに備えることにより、前記工具を位置決めする信頼性を高めることを特徴とする、請求項１に記載のカード型工具吊り下げ具。
【請求項８】
前記位置決め部は、前記中板と互いに接合され、かつ前記位置決め部は、前記立て板に向かって延伸することにより、前記工具を位置決めする信頼性を高めることを特徴とする、請求項７に記載のカード型工具吊り下げ具。
【請求項９】
前記位置決め部は、前記立て板と互いに接合され、かつ前記位置決め部は、前記中板に向かって延伸することにより、前記工具を位置決めする信頼性を高めることを特徴とする、請求項７に記載のカード型工具吊り下げ具。
【請求項１０】
前記主体に吊棒が設けられ、前記吊棒の後端は、前記立て板と互いに接合されることで、前記工具を吊孔を介して前記吊棒に吊り掛けることを特徴とする、請求項１に記載のカード型工具吊り下げ具。
【考案の詳細な説明】
【技術分野】
【０００１】
本考案は、カード型工具吊り下げ具に係り、特に、盗難防止可能なカード型工具吊り下げ具の斬新な構造形態の開示に関するものである。
【背景技術】
【０００２】
例えば、各式のレンチやスリーブを設置するための工具ホルダといったように多種類の工具に対して、一種のカード型工具吊り下げ具を利用して吊掛展示することができ、従来のカード型工具吊り下げ具は、主に本体と、位置決め部材とを備え、工具が前記本体と前記位置決め部材との間に設置され、前記位置決め部材を、弾性を持つ留め部を介して前記本体に留め合わせて、前記位置決め部材と前記本体とで前記工具が相対的に拘束され、前記工具から従来のカード型工具吊り下げ具を分離しようとすると、はさみや他の形式の工具を利用して前記留め部を破壊する必要があるので、前記工具が泥棒や賊に盗み取られるのを避けることができる。
【０００３】
しかし、前記従来のカード型工具吊り下げ具は、実際の応用経験において、依然として下記の問題点と弊害が存在することが発見された。消費者は、前記工具を前記従来のカード型工具吊り下げ具と一緒に購入した後、前記留め部を一旦破壊して前記工具を取って作業を行ったら、前記従来のカード型工具吊り下げ具を、二度と前記工具を設置するために用いることができないという問題点がある。
【０００４】
そこで、上述したような従来のカード型工具吊り下げ具の技術に存在する問題点について、如何にしてより理想的で実用性のある斬新な構造を研究開発するかが、関連業者が鋭意思案を重ねて突破すべき目標と方向である。
これに鑑みて、考案者は、長年に亘って従事してきた関連製品の製造開発や設計経験に基づき、上記の目標について緻密に設計すると共に、慎重に検討した結果、遂に確かな実用性を持つ本考案が案出された。
【考案の概要】
【考案が解決しようとする課題】
【０００５】
本考案は、カード型工具吊り下げ具を提供することを主な目的とし、その解決しようとする技術的課題は、如何にしてより理想的で実用性のあるオリジナルなカード型工具吊り下げ具を研究開発するかを目標として革新突破を思案することである。
【課題を解決するための手段】
【０００６】
前述の目的に基づいて、本考案の課題を解決するための技術的特長としては、主に前記カード型工具吊り下げ具は、主体と、前記主体の前側に設けられる着脱可能な封止部材とを備え、前記主体は、立て板と、２つの側板とを有し、その内、各前記側板は、それぞれ前記立て板の両側に設けられ、かつ各前記側板はそれぞれ前向きに延伸し、各前記側板からは、それぞれ前記立て板の前側に向かって係止部が形成され、前記主体に複数個の規制板が設けられ、各前記規制板は、それぞれ各前記側板の頂縁及び底縁と互いに接合され、前記封止部材は、中板と、２つの掛止接続板と、２つのガード板とを有し、その内、前記中板と前記立て板とは起立対向に形成されることで、工具を前記立て板と前記中板との間に設けると共に、前記封止部材により前記工具を相対的に制限し、各前記掛止接続板同士は側方向に対向配置され、各前記掛止接続板の前側は前記中板と互いに接合され、各前記掛止接続板にはそれぞれ掛止部が形成され、各前記掛止接続板の頂縁及び底縁は、それぞれ各前記規制板と対向配置され、各前記掛止接続板は、それぞれ各前記掛止部を介して各前記側板の前記係止部に弾性的に掛止接続され、各前記ガード板はそれぞれ各前記側板の前側に位置し、かつ各前記ガード板はそれぞれ各前記掛止接続板の外側に対向配置され、前記中板からは、各前記ガード板の頂縁及び底縁に向かってそれぞれ基部が延伸し、前記ガード板の頂縁及び底縁は、それぞれ裁断部を介して各前記基部と互いに接合されることで、前記裁断部を剪断具を利用して破壊することができるから、各前記ガード板を取り外して前記封止部材を前記主体から分離可能に構成することにより、前記工具を取って作業を行うために供される。
【考案の効果】
【０００７】
本考案の主な効果と利点は、前記カード型工具吊り下げ具に設置された前記工具が泥棒や賊に盗み取られるのを避けることができ、前記工具を前記カード型工具吊り下げ具から取り出した後、前記カード型工具吊り下げ具を利用して再度前記工具を設置することができ、工具の吊掛保管の利便性を高めることができる。
【図面の簡単な説明】
【０００８】
【図１】本考案の実施例１の概略斜視図である。
【図２】本考案の実施例１の分解斜視図である。
【図３】本考案の実施例１の横方向断面図である。
【図４】本考案の実施例１の封止部材の右側面図である。
【図５】剪断具を利用して本考案の実施例１の裁断部を破壊する操作状態の概略斜視図である。
【図６】本考案の実施例１から工具を取り出す操作状態の概略横方向断面図である。
【図７】本考案の実施例１からガード板を取り外した後、工具を設置するために用いられる概略斜視図である。
【図８】本考案の実施例２の分解斜視図である。
【図９】本考案の実施例３の概略斜視図である。
【図１０】本考案の実施例３の分解斜視図である。
【図１１】本考案の実施例４に工具を設置する概略斜視図である。
【考案を実施するための形態】
【０００９】
図１〜図１１を参照し、これらの図に示すのは、本考案のカード型工具吊り下げ具の数個の実施例だが、これらの実施例は説明のみに用いられるもので、実用新案登録請求の際、それらの構造に制限されないものとする。
【実施例１】
【００１０】
図１〜図４に示すように、かかるカード型工具吊り下げ具の実施例１は、主体１０と、封止部材２０とを備え、その内、前記封止部材２０は着脱可能に前記主体１０の前側に設けられ、前記主体１０は、立て板１１と、２つの側板１２とを有し、その内、前記立て板１１に懸吊孔１１２が貫設されることで、前記主体１０を吊掛設置することが可能となり、各前記側板１２は、それぞれ前記立て板１１の両側に設けられ、かつ各前記側板１２はそれぞれ前向きに延伸し、各前記側板１２からは、それぞれ前記立て板１１の前側に向かって係止部１２２が形成され、前記主体１０に複数個の規制板１３が設けられ、各前記規制板１３は、それぞれ各前記側板１２の頂縁及び底縁と互いに接合される。
【００１１】
前記封止部材２０は、中板２１と、２つの掛止接続板２２と、２つのガード板２３とを有し、その内、前記中板２１と前記立て板１１とは起立対向に形成されることで、工具９２を前記立て板１１と前記中板２１との間に設けると共に、前記封止部材２０により前記工具９２を相対的に制限することにより、前記工具９２を展示することができ、図１に例示された前記工具９２がレンチであり、本考案のカード型工具吊り下げ具は、各種の工具を設置して展示するために用いてもよく、図１は、本考案の用途を限定的に解釈することを意図するものではない。
各前記掛止接続板２２同士は側方向に対向配置され、各前記掛止接続板２２の前側は前記中板２１と互いに接合され、各前記掛止接続板２２の頂縁及び底縁は、それぞれ各前記規制板１３と対向配置され、各前記規制板１３を介してそれぞれ各前記掛止接続板２２に対して制限を加えることができ、このために前記封止部材２０を上向きまたは下向きに作動させることができず、各前記掛止接続板２２にはそれぞれ掛止部２４が形成され、各前記掛止接続板２２は、それぞれ各前記掛止部２４を介して各前記側板１２の前記係止部１２２に弾性的に掛止接続され、各前記ガード板２３はそれぞれ各前記側板１２の前側に位置し、かつ各前記ガード板２３はそれぞれ各前記掛止接続板２２の外側に対向配置され、前記中板２１からは、各前記ガード板２３の頂縁及び底縁に向かってそれぞれ基部２５が延伸し、前記ガード板２３の頂縁及び底縁は、それぞれ裁断部２６を介して各前記基部２５と互いに接合される。本例において、前記裁断部２６の厚さが、前記ガード板２３の厚さよりも薄いことで、前記裁断部２６を剪断具９４を利用して破壊しやすくするから（図５を参照）、各前記ガード板２３を取り外して前記封止部材２０を前記主体１０から分離可能に構成することにより、前記工具９２を取って作業を行うために供される。前記裁断部２６の厚さを必要に応じて変化されることができ、前記裁断部２６の厚さは前記ガード板２３より薄い厚さに限定される必要はない。
【００１２】
上記の構造組立形態と技術的特徴によれば、本考案に係るカード型工具吊り下げ具を前記工具９２を設置するために用いる場合、各前記規制板１３による制限が加えられるので、前記封止部材２０を上向きまたは下向きに作動させることができず、前記掛止接続板２２は、前記掛止部２４を介してそれぞれ前記側板１２の前記係止部１２２に掛止接続され、各前記係止部１２２は、それぞれ各前記掛止部２４の前側に各前記掛止部２４に対して係止が形成され、前記封止部材２０を前向きに移動させて前記主体１０から脱離不能にし、再び各前記ガード板２３は、それぞれ各前記掛止接続板２２に対して遮蔽が形成されることに合わせて、各前記掛止接続板２２に直接素手で触れることができないと共に、各前記掛止接続板２２が相対的に押圧されることで、各前記係止部１２２の各前記掛止部２４に対する係止を解除することができないので、前記工具９２は、本考案に係るカード型工具吊り下げ具と分離することができないため、前記工具９２が泥棒や賊に盗み取られるのを避けることができる。
【００１３】
図５に示すように、前記工具９２を取り出そうとするとき、前記剪断具９４を利用して各前記裁断部２６を破壊することができ、それから、各前記ガード板２３を取り除いて各前記掛止接続板２２の外側が露呈され、その後、図６に示すように、吾人が手指（未図示）で各前記掛止接続板２２を相対的に圧迫すると、各前記掛止接続板２２をそれぞれ内側に向かって弾性作動させ、各前記掛止部２４が側方向に変位するにつれて、各前記係止部１２２の各前記掛止部２４に対する係止が解除されるとき、前記封止部材２０を前向きに移動させて前記封止部材２０を着脱した後、前記工具９２を取って作業を行うことができる。
【００１４】
図７に示すように、前記ガード板２３が取り除かれた後、前記工具９２を再度前記立て板１１の前側に置くことができると共に、前記封止部材２０を再度前記主体１０に組み付け、前記掛止接続板２２は、前記掛止部２４を介してそれぞれ前記側板１２の前記係止部１２２に掛止接続され、本考案に係るカード型工具吊り下げ具を利用して前記工具９２を設置することができ、工具の吊掛保管の利便性を高めることができる。
【００１５】
また、図１〜図４に示すように、前記主体１０は、各前記側板１２の間に２つの強化板１４が設けられ、各前記強化板１４同士は側方向に対向配置され、かつ各前記強化板１４は、それぞれ各前記側板１２と近接し、各前記強化板１４の頂縁及び底縁は、それぞれ各前記規制板１３と互いに接合され、これに従って各前記規制板１３を強化する。本例において、各前記強化板１４は、それぞれ各前記掛止接続板２２と近接してもよく、これに従って各前記掛止接続板２２がそれぞれ圧迫を受けて内側に向かって弾性作動するとき、各前記強化板１４は、それぞれ各前記掛止接続板２２の内側に向かって弾性作動する角度に対して制限を加えることができ、各前記掛止接続板２２が過度変形するので、回復し難い塑性変形をもたらすことを避けることができる。前記掛止部２４の後側に斜向の誘導案内面２４２が形成され、これに従って前記封止部材２０を前記主体１０に組み付けるとき、各前記掛止接続板２２はそれぞれ前記立て板１１に向かって移動し、各前記掛止部２４がそれぞれ各前記係止部１２２の前側に接触するとき、斜向の前記誘導案内面２４２は、各前記掛止接続板２２をそれぞれ内側に向かって弾性偏倚作動させるようにし、そして各前記掛止部２４は、それぞれ各前記係止部１２２の内側を滑り抜けるよう構成され、各前記係止部１２２の後側に向かって移動し、これに従って前記封止部材２０を前記主体１０に組み付ける利便性を高める。
【００１６】
前記掛止接続板２２の頂縁及び底縁は、それぞれ各前記基部２５と互いに接合され、前記基部２５を介して前記掛止接続板２２と前記中板２１との結合強度を高め、前記掛止接続板２２の頂縁近傍及び底縁近傍にそれぞれ凹口２７が形成され、各前記凹口２７は前記掛止接続板２２の後側に延伸し、かつ前記掛止部２４は各前記凹口２７の間に形成されることで、前記凹口２７の形成によって、前記掛止接続板２２を容易に側方向に弾性作動させるようにし、前記封止部材２０を前記主体１０から引き離す利便性、及び前記封止部材２０を前記主体１０に組み付ける利便性を高めることができる。前記係止部１２２は、前記側板１２の頂縁及び前記側板１２の底縁に延伸すると共に、各前記規制板１３と互いに接合される。
【００１７】
本考案に係るカード型工具吊り下げ具は、位置決め部３０をさらに備え、前記位置決め部３０が前記立て板１１と前記中板２１との間に設けられることにより、前記工具９２を位置決めする信頼性を高める。本例において、前記位置決め部３０は、前記中板２１と互いに接合され、かつ前記位置決め部３０は、前記立て板１１に向かって延伸することにより、前記位置決め部３０に前記工具９２を相対的に寄り付かせ、前記工具９２を位置決めする信頼性を高める。
【実施例２】
【００１８】
図８に示すように、実施例２において、実施例１と主に異なる構成は、前記位置決め部３０は、前記立て板１１と互いに接合され、かつ前記位置決め部３０は、前記中板２１に向かって延伸することにより、前記位置決め部３０で前記工具９２を相対的に制限し、前記工具９２を位置決めする信頼性を高める点である
【実施例３】
【００１９】
実施例３において、実施例１と主に異なる構成は、実施例３では、実施例１に対して前記位置決め部３０を欠如した構成である。図９及び図１０に示すように、前記主体１０に吊棒１５が設けられ、前記吊棒１５の後端は、前記立て板１１の前側と互いに接合され、これに従って吊孔９６２を有する工具９６を、前記吊孔９６２を介して前記吊棒１５に吊り掛けることができ、図９に例示された前記工具９６が、複数個のスリーブ９８を設置するための工具ホルダであり、図９は、本考案の用途を限定的に解釈することを意図するものではない。
【実施例４】
【００２０】
図１及び図１１を参照して、実施例４において、実施例１と主に異なる構成は、実施例４では、実施例１に対して前記位置決め部３０を欠如した構成である。各前記規制板１３の間の距離が前記工具９２の頭部９２２の幅より短い合致関係によって、前記工具９２を下向きに脱落不能に設置することができるようになっている。
【符号の説明】
【００２１】
１０：主体
１１：立て板
１１２：懸吊孔
１２：側板
１２２：係止部
１３：規制板
１４：強化板
１５：吊棒
２０：封止部材
２１：中板
２２：掛止接続板
２３：ガード板
２４：掛止部
２４２：誘導案内面
２５：基部
２６：裁断部
２７：凹口
３０：位置決め部
９２：工具
９２２：頭部
９４：剪断具
９６：工具
９６２：吊孔
９８：スリーブ
【図１】
0003226282.tif 000003
【図２】
0003226282.tif 000004
【図３】
0003226282.tif 000005
【図４】
0003226282.tif 000006
【図５】
0003226282.tif 000007
【図６】
0003226282.tif 000008
【図７】
0003226282.tif 000009
【図８】
0003226282.tif 000010
【図９】
0003226282.tif 000011
【図１０】
0003226282.tif 000012
【図１１】
0003226282.tif 000013